(57)【要約】【課題】  建物内に防火区画壁を設ける場合に、鉄骨梁の耐火被覆を必要とせず、また効率的に施工し得る有効適切な防火区画壁の構造とその施工方法を提供する。【解決手段】  ＡＬＣ版等の防火性能を有する壁パネル５を取り付けるための間柱４を、コンクリートスラブ３に対して固定したブラケット９を介して鉄骨梁２の側部に間隔をおいて設けるとともに、その間柱の鉄骨梁側に前記壁パネルを取り付ける。その施工に際しては、予め大判の壁面ユニットＵを地組し、間柱の上端部に設けたブラケット９の先端部を鉄骨梁２の上部に仮支持した後、コンクリートスラブ３を打設してそのコンクリートスラブ中にブラケットを埋設固定する。【選択図】      図１
2005083173.tif 000002
【特許請求の範囲】
【請求項１】
建物内に設けられる防火区画壁の構造であって、
ＡＬＣ版等の防火性能を有する壁パネルを取り付けるための間柱を、コンクリートスラブに対して固定したブラケットを介して鉄骨梁の側部に間隔をおいて設けるとともに、その間柱の鉄骨梁側に前記壁パネルを取り付けたことを特徴とする防火区画壁の構造。
【請求項２】
請求項１記載の構造の防火区画壁を施工するための方法であって、
ＡＬＣ版等の防火性能を有する壁パネルを上下方向に複数並設し、それら壁パネルの表面側に配した間柱に各壁パネルを連結することで大判の壁面ユニットを地組するとともに、間柱の上端部には壁パネルに形成した切欠部を通してその裏面側に突出するブラケットを設けておき、
その壁面ユニットを吊り上げてブラケットの先端部を鉄骨梁の上部に仮支持した後、コンクリートスラブを打設してそのコンクリートスラブ中にブラケットを埋設固定することを特徴とする防火区画壁の施工方法。
【発明の詳細な説明】
【技術分野】
【０００１】
本発明は、建物の内部に設ける防火区画壁の構造およびその施工方法に関する。
【背景技術】
【０００２】
周知のように、建築基準法の規定により、防火地域や準防火地域に設ける建築物はその用途や規模に応じて耐火建築物または準耐火建築物としなければならず、また、その内部には必要に応じて所定の防火性能を備えた防火区画壁が設けられることが一般的である。
【０００３】
図６は準耐火建築物の内部に設けた乾式工法による防火区画壁の一例を示すものである。これはクリーンルームと機械室との間の間仕切り壁として設けられたもので、符号１は柱、２は鉄骨梁、３はコンクリートスラブ、４は間柱であり、その間柱４にＡＬＣ版等の防火性能を有する壁パネル５を取り付けた構造のものである。
【０００４】
上記構造の防火区画壁の施工に際しては、各階の躯体すなわち柱１、鉄骨梁２、コンクリートスラブ３を施工した後に、間柱４をブラケット６を介して鉄骨梁２により支持して各階に建て込み、その間柱４に壁パネル５を取り付けていくことが通常であるが、壁パネル５を１枚ずつ取り付けていくことでは作業性が良くないことから、たとえば特許文献１に示されるように間柱と壁パネルとを予めユニット化しておき、それを一括して躯体に取り付けるという工法も提案されている。
【特許文献１】特開平１１−２５６７３６号公報
【発明の開示】
【発明が解決しようとする課題】
【０００５】
ところで、上記のような防火区画壁は防火性能の確保のために間柱４に耐火被覆を施す必要があるが、その間柱４を上記のように鉄骨梁２に対して固定して設ける場合には、間柱４のみならず鉄骨梁２およびブラケット６に対しても同様に耐火被覆を施す必要が生じる。すなわち、準耐火建築物では鉄骨梁２には耐火被覆を必要としないにも拘わらず、それに防火区画壁の間柱４を固定する場合には防火性能の確保のために耐火被覆が必要となるのである。
【０００６】
したがって、この種の防火区画壁を設ける場合には鉄骨梁２に本来は不要な耐火被覆を設けるために必然的にそのためのコストと工期を要し、そのことが工費削減と工期短縮を図る上での障害となっていることから、有効な改善策が求められていた。
【０００７】
上記事情に鑑み、本発明は、建物内に防火区画壁を設ける場合に、鉄骨梁の耐火被覆を必要とせず、またその施工を効率的に行い得る有効適切な防火区画壁の構造とそのその施工方法を提供することを目的としている。
【課題を解決するための手段】
【０００８】
請求項１の発明は建物内に設けられる防火区画壁の構造であって、ＡＬＣ版等の防火性能を有する壁パネルを取り付けるための間柱を、コンクリートスラブに対して固定したブラケットを介して鉄骨梁の側部に間隔をおいて設けるとともに、その間柱の鉄骨梁側に前記壁パネルを取り付けたことを特徴とする。
【０００９】
請求項２の発明は、請求項１記載の構造の防火区画壁を施工するための方法であって、ＡＬＣ版等の防火性能を有する壁パネルを上下方向に複数並設し、それら壁パネルの表面側に配した間柱に各壁パネルを連結することで大判の壁面ユニットを地組するとともに、間柱の上端部には壁パネルに形成した切欠部を通してその裏面側に突出するブラケットを設けておき、その壁面ユニットを吊り上げてブラケットの先端部を鉄骨梁の上部に仮支持した後、コンクリートスラブを打設してそのコンクリートスラブ中にブラケットを埋設固定することを特徴とする。
【発明の効果】
【００１０】
本発明の防火区画壁は、間柱をブラケットを介してコンクリートスラブに対して固定するとともに、間柱と鉄骨梁との間に壁パネルを取り付ける構造であるので、間柱と鉄骨梁とが縁切りされ、したがって従来においては必要とされる鉄骨梁に対する耐火被覆を省略することが可能である。
【００１１】
本発明の施工方法は、予め壁面ユニットを地組し、その壁面ユニットを鉄骨梁に仮支持した状態でブラケットをスラブコンクリートに埋設固定するので、上記構造の防火区画壁を効率的に施工することができる。
【発明を実施するための最良の形態】
【００１２】
図６に示した準耐火建築物を対象としてその内部に防火区画壁を設けるに際して本発明を適用する場合の一実施形態を図１〜図３を参照して説明する。本実施形態の防火区画壁は、図６の場合と同様にクリーンルームと機械室とを区画するためのもので、従来と同様に間柱４にＡＬＣ版等の壁パネル５を取り付けた構造を基本とするのものではあるが、従来のように間柱４を鉄骨梁２に対して固定するのではなく間柱４をコンクリートスラブ３に対して固定し、また壁パネル５を間柱４の外側（機械室側）に取り付けるのではなく間柱４と鉄骨梁２との間に間隔を確保して壁パネル５を間柱４の内側（クリーンルーム側）に取り付ける構造としたものである。そして、本実施形態ではそのような構造の防火区画壁を施工するに際し、間柱４と壁パネル５とを予め大判の壁面ユニットＵとして地組しておいてそれを一括して取り付けるようにしている。
【００１３】
まず、図３を参照して本実施形態において採用する壁面ユニットＵについて説明する。これは多数（図示例では１０枚）の横長平版状のＡＬＣ版等の壁パネル５を上下に並設し、それらの表面側（機械室側）の両端部にそれぞれ小断面のＨ形鋼からなる間柱４を配し、各壁パネル５をクランプ金具７によって間柱４に対して連結して一体化した構成のものである。最上段の壁パネル５には切欠部８を形成しておいて、間柱４の上端部にはその切欠部８を通して裏面側（クリーンルーム側）に突出するブラケット９を設けておき、そのブラケット９の先端部には、図２に示すようにレベルボルト１０を螺着するナット部材１１を設けておく。同じく図２に示すように、間柱４にはブラケット９の取り付け位置に補強リブ１２を設け、また間柱４の頂部には上階の間柱を連結するための接合板１３を設けておく。この壁面ユニットＵは現場サイトにて平置きした状態で予め地組し、これを設置する際には間柱４の頂部に吊り材を適宜連結して立て起こし、そのまま吊り上げて取り付け位置に揚重するものである。
【００１４】
上記の壁面ユニットＵを用いて防火区画壁を施工するには、クリーンルームにおける柱１と鉄骨梁２との施工が完了し、コンクリートスラブ３を施工する前に、上記の壁面ユニットＵを吊り上げて鉄骨梁２に対して仮支持する。そのためには、図２〜図３に示すように鉄骨梁２の上部に予め仮支持板１４を取り付けておいて、その仮支持板１４とブラケット９とを重ね合わせて双方の長穴１５，１６の位置を合致させてそれらに仮止め用のボルトを通し、壁面ユニットＵの前後方向の位置決めを長穴１５の範囲内で行い、かつレベルボルト１０により上下方向の位置決めを長穴１６の範囲内で行う。
【００１５】
以上により壁面ユニットＵが鉄骨梁２から仮支持された状態で設置されるので、図２（ａ）に示すようにコンクリートスラブ３を打設してクリーンルームの床を形成すると同時にブラケット９をコンクリートスラブ３中に埋設固定する。これにより、壁面ユニットＵはブラケット９を介してコンクリートスラブ３に対して確実強固に固定される。
【００１６】
上記構造の防火区画壁は、間柱４がブラケット９を介してコンクリートスラブ３に対して固定され、また、間柱４と鉄骨梁２との間に壁パネル５が取り付けられることにより、コンクリートスラブ３および壁パネル５によって間柱４と鉄骨梁２とは完全に縁切りされており、したがって従来のように間柱４を鉄骨梁２に対して固定する場合には必要となる鉄骨梁２に対する耐火被覆を不要とすることができる。
【００１７】
しかも、壁パネル５が間柱４と鉄骨梁２との間（つまり間柱４のクリーンルーム側）に設けられるので、間柱４がクリーンルーム側に露出することはないし、間柱４と多数の壁パネル５を予め壁面ユニットＵとしてそれを一括して取り付けることにより、間柱４に対して壁パネル５を個々に取り付ける場合に較べてその作業を極めて容易にかつ効率的に行うことができるし、施工精度も向上し、工費削減、工期短縮に寄与することができる。
【００１８】
さらに、上記の場合にはコンクリートスラブ３の施工前に壁面ユニットＵを鉄骨梁２に対して仮支持し、その状態でコンクリートスラブ３を打設して壁面ユニットＵを固定することから、機械室のコンクリートスラブ３の施工に際しては図１や図２（ａ）に示すように機械室のコンクリートスラブ３と壁面ユニットＵとの間にスリット１７を確保してそれらを構造的に絶縁することが可能となり、それによりコンクリートスラブ３を介しての機械室からクリーンルームへの振動伝播を遮断することができる効果がある。すなわち、従来においては図６に示しているように機械室のコンクリートスラブ３とクリーンルームのコンクリートスラブ３は一体に施工されることが通常であり、その場合には機械室での振動がコンクリートスラブ３を通じてクリーンルームに伝播されることが懸念されるが、上記のようにスリット１７を設けて機械室のコンクリートスラブ３をクリーンルームの壁面ユニットＵやコンクリートスラブ３と絶縁することで、そのような問題を回避することができる。
【００１９】
以上で本発明の一実施形態を説明したが、本発明は上記実施形態に限定されるものではなく、たとえば以下に列挙するように様々な変形、応用が可能である。
【００２０】
本発明の防火区画壁を施工するに当たっては上記のような壁面ユニットＵを用いることに限るものではなく、可能であればまず間柱４を取り付けてそれに壁パネル５を個々に取り付けていくことでも良いが、壁パネル５を鉄骨梁２と間柱４との間に取り付けるという構造から、そのようなことでは効率的な作業は望めないので、上記実施形態のように予め壁面ユニットＵを地組してそれを一括して取り付けることが現実的であり好適である。
【００２１】
本発明の施工方法において採用する壁面ユニットＵの形状や寸法は上記実施形態のものに限定されることなく任意であり、たとえば図４〜図５に示すものも好適に採用可能である。これは、間柱４の頂部よりもやや下がった位置にブラケット９を設けるとともに、そのブラケット９を通すための切欠部８を最上段の壁パネル５の下部側に設けて、図４に示すように間柱４の頂部および最上段の壁パネル５をコンクリートスラブ３上に突出させた状態で取り付けるようにしたものである。
【００２２】
なお、壁面ユニットＵに窓等の開口部を設ける場合には地組の際に予め組み込めば良いし、壁パネル５としてはＡＬＣ版に限らず所望の防火性能を有するものであればＰＣａ版やサンドイッチパネル等の他の壁パネルも採用可能である。間柱４やブラケット９の形状、ブラケット９の鉄骨梁２に対する仮支持の形態やコンクリートスラブ３に対する埋設固定の形態も任意である。
【００２３】
さらに、本発明は上記実施形態のように準耐火建築物を対象としてその内部に防火区画壁を設ける場合に適用して最適であるが、それに限るものでもなく、様々な用途、構造、形態の建物に広く適用することが可能である。勿論、本発明の防火区画壁は上記実施形態で例示したようにクリーンルームと機械室との間に設けるのみならず、任意の用途の室間に設けることができることはいうまでもないし、いずれにしても振動を嫌う室と振動を発生する室との間に設ける場合（たとえば病院における病室と機械室との間に設けるような場合）には、上記実施形態と同様にコンクリートスラブにスリットを確保することで同様の振動伝播防止効果が得られる。
【図面の簡単な説明】
【００２４】
【図１】本発明の一実施形態である防火区画壁の概略構成を示す立断面図である。
【図２】同、要部拡大図である。
【図３】同、壁面ユニットを示す図である。
【図４】本発明の他の実施形態である防火区画壁の概略構成を示す要部拡大断面図である。
【図５】同、要部拡大斜視図である。
【図６】従来の防火区画壁の一例を示す立断面図である。
【符号の説明】
【００２５】
２  鉄骨梁
３  コンクリートスラブ
４  間柱
５  壁パネル
８  切欠部
９  ブラケット
【図１】
2005083173.tif 000003
【図２】
2005083173.tif 000004
【図３】
2005083173.tif 000005
【図４】
2005083173.tif 000006
【図５】
2005083173.tif 000007
【図６】
2005083173.tif 000008